(57)【特許請求の範囲】
【請求項１】
貨幣を収納する貨幣収納具を収納する複数の個別収納部を有した収納部と、
前記収納部を開閉する扉と、
前記扉の施錠および解錠を行う施錠装置と、
規制バーを有し、前記個別収納部毎に設けられた規制部と、
暗証情報を入力する入力手段と、
生成手段が生成した暗証情報と前記入力手段が入力した前記暗証情報とが一致した場合、前記施錠装置に前記解錠を行わせる錠制御手段と、
前記扉の状態を検出する第１の検出手段と、
前記第１の検出手段の検出結果を出力する出力手段と、
を備え、
前記個別収納部には、開口部が設けられ、前記個別収納部は、前記開口部から前記貨幣収納具の出し入れが可能であり、
前記規制バーは、前記開口部を横断して前記個別収納部への前記貨幣収納具の出し入れを規制する規制位置と、前記開口部を開放して前記個別収納部への前記貨幣収納具の出し入れを許容する位置と、の間で回動可能に設けられ、
前記個別収納部には、第１の係合部が設けられ、
前記貨幣収納具には、第２の係合部が設けられ、
前記第１の係合部と前記第２の係合部とには、複数の種類があり、
前記第１の係合部と前記第２の係合部とが係合した場合、前記個別収納部の内部に前記貨幣収納具が収まり、前記規制バーが前記規制位置に位置することが可能であり、前記第１の係合部と前記第２の係合部とが係合しない場合、前記個別収納部から前記貨幣収納具が突出して、前記規制バーが前記規制位置に位置できない、金庫装置。
【請求項２】
前記第一の係合部は、前記個別収納部の内面に設けられた凸部を有し、
前記第二の係合部は、前記貨幣収納具の外面に設けられた凹部を有した、請求項１に記載の金庫装置。
【請求項３】
前記出力手段は、前記第１の検出手段の検出結果を外部の装置に送信する請求項１または２に記載の金庫装置。
【請求項４】
前記規制バーの前記規制を検出する第２の検出手段を備え、
前記出力手段は、前記第２の検出手段が前記規制を検出した場合、前記規制が行われた旨を出力する請求項１ないし３のいずれか一項に記載の金庫装置。
【請求項５】
前記個別収納部に収納された前記貨幣収納具を識別する識別手段を備えた請求項１ないし４のいずれか一項に記載の金庫装置。
【請求項６】
前記規制部は、鍵によって前記規制を解除可能であり、且つ手動操作を受けて前記規制を行う請求項１ないし５のいずれか一項に記載の金庫装置。
【発明の詳細な説明】
【技術分野】
【０００１】
本発明の実施形態は、金庫装置に関する。
【背景技術】
【０００２】
従来、ＰＯＳ端末と自動釣銭機とを有する会計装置と金庫装置とが通信可能に接続された金庫システムが知られている。この金庫システムでは、自動釣銭機内から出金された売上金が店員によって金庫に収納される。
【発明の概要】
【発明が解決しようとする課題】
【０００３】
このような金庫システムでは、一例としてユーザが金庫装置の扉の施錠状態を把握したいという要望がある。
【課題を解決するための手段】
【０００４】
実施形態の金庫装置は、収納部と、扉と、施錠装置と、規制部と、入力手段と、錠制御手段と、第１の検出手段と、出力手段と、を備えた。前記収納部は、貨幣を収納する貨幣収納具を収納する複数の個別収納部を有した。前記扉は、前記収納部を開閉する。前記施錠装置は、前記扉の施錠および解錠を行う。前記規制部は、規制バーを有し、前記個別収納部毎に設けられた。前記入力手段は、暗証情報を入力する。前記錠制御手段は、生成手段が生成した暗証情報と前記入力手段が入力した前記暗証情報とが一致した場合、前記施錠装置に前記解錠を行わせる。前記第１の検出手段は、前記扉の状態を検出する。前記出力手段は、前記第１の検出手段の検出結果を出力する。前記個別収納部には、開口部が設けられ、前記個別収納部は、前記開口部から前記貨幣収納具の出し入れが可能であり、前記規制バーは、前記開口部を横断して前記個別収納部への前記貨幣収納具の出し入れを規制する規制位置と、前記開口部を開放して前記個別収納部への前記貨幣収納具の出し入れを許容する位置と、の間で回動可能に設けられ、前記個別収納部には、第１の係合部が設けられ、前記貨幣収納具には、第２の係合部が設けられ、前記第１の係合部と前記第２の係合部とには、複数の種類があり、前記第１の係合部と前記第２の係合部とが係合した場合、前記個別収納部の内部に前記貨幣収納具が収まり、前記規制バーが前記規制位置に位置することが可能であり、前記第１の係合部と前記第２の係合部とが係合しない場合、前記個別収納部から前記貨幣収納具が突出して、前記規制バーが前記規制位置に位置できない。
【図面の簡単な説明】
【０００５】
【図１】図１は、第１の実施形態にかかる管理システムを示すシステム構成図である。
【図２】図２は、第１の実施形態にかかる会計装置を示す外観斜視図である。
【図３】図３は、第１の実施形態にかかる自動釣銭機を示すブロック図である。
【図４】図４は、第１の実施形態にかかる回収カセットを示す外観斜視図である。
【図５】図５は、第１の実施形態にかかる回収カセットの背面壁の一部を背面側から見て示す斜視図である。
【図６】図６は、第１の実施形態にかかる会計装置のハードウェア構成を示すブロック図である。
【図７】図７は、第１の実施形態にかかる金庫装置を示す外観斜視図である。
【図８】図８は、第１の実施形態にかかる金庫装置の収納部を示す斜視図である。
【図９】図９は、第１の実施形態にかかる金庫装置の収納部を示す縦断側面図である。
【図１０】図１０は、第１の実施形態にかかる個別収納部の後壁の一部を正面側から見て示す斜視図である。
【図１１】図１１は、第１の実施形態にかかる施錠装置の一部を示す斜視図である。
【図１２】図１２は、第１の実施形態にかかる金庫装置のハードウェア構成を示すブロック図である。
【図１３】図１３は、第１の実施形態にかかる暗証情報票を示す平面図である。
【図１４】図１４は、第１の実施形態にかかる会計装置が実行する暗証情報出力処理の流れを示すフローチャートである。
【図１５】図１５は、第１の実施形態にかかる金庫装置が行う回収処理の流れを示すフローチャートである。
【図１６】図１６は、第２の実施形態にかかる会計装置のハードウェア構成を示すブロック図である。
【図１７】図１７は、第２の実施形態にかかる金庫装置のハードウェア構成を示すブロック図である。
【発明を実施するための形態】
【０００６】
以下、図面を参照して、実施形態にかかる金庫装置について詳細に説明する。なお、以下の複数の実施形態には、同様の構成要素が含まれている。よって、以下では、それら同様の構成要素には共通の符号を付与するとともに、重複する説明を省略する。
【０００７】
（第１の実施形態）
図１は、本実施形態にかかる管理システム１０１を示すシステム構成図である。管理システム１０１は、店舗２０１に設置された店舗コンピュータ２８１と、各店舗２０１を統括する統括部４０１に設置された上位コンピュータ４１１と、契約によって各店舗２０１の警備等を担当する警備会社５０１に設置された警備会社コンピュータ５１１とを有する。店舗コンピュータ２８１と上位コンピュータ４１１と警備会社コンピュータ５１１とは、通信ネットワーク１１１を介して互いにデータ通信可能に接続されている。
【０００８】
店舗コンピュータ２８１は、店舗２０１のバックヤードに配置されている。店舗コンピュータ２８１には、ＬＡＮケーブル２９１を介して、複数台のＰＯＳ端末２１１が接続されている。ＰＯＳ端末２１１は、店舗２０１の売場に配置されている。各々のＰＯＳ端末２１１には、自動釣銭機２４１がデータ通信可能に接続されている。ＰＯＳ端末２１１と自動釣銭機２４１とは、会計装置２１０を構成している。また、会計装置２１０と店舗コンピュータ２８１とは、金庫システム２０９を構成している。本実施形態では、会計装置２１０として、第１の会計装置２１０Ａと第２の会計装置２１０Ｂとが設けられている。また、店舗コンピュータ２８１およびＰＯＳ端末２１１には、ＬＡＮケーブル２９１を介して、金庫装置３０１がデータ通信可能に接続されている。会計装置２１０は、暗証番号を生成する情報処理装置の一例である。より詳細には、会計装置２１０におけるＰＯＳ端末２１１は、暗証番号を生成する情報処理装置の一例である。
【０００９】
図２は、本実施形態にかかる会計装置２１０を示す外観斜視図である。ＰＯＳ端末２１１は、自動釣銭機２４１に載置されている。自動釣銭機２４１は、売場のレジ台（図示せず）に配置されている。
【００１０】
ＰＯＳ端末２１１は、各部をその内部又は外部に配置するハウジング２１２を備える。ハウジング２１２の上面には、キーボード２１３が設けられている。キーボード２１３は、上面に数字が表示されたテンキー、上面に「小計」と表示された仮締めキー、上面に「預／現計」と表示された締めキー、上面に「回収」と表示された回収キー等を含む。キーボード２１３の上方位置には、キャッシャに対しての情報表示機能を有する表示器２１５が配置されている。表示器２１５は、一例として、液晶ディスプレイである。表示器２１５の画面上には、タッチパネル２１４が設けられている。表示器２１５の左側には、プリンタカバー２１７が設けられている。プリンタカバー２１７の前面には、発行口２１７ａが形成されている。プリンタカバー２１７の内部には、プリンタ２２９（図６参照）が設けられている。プリンタ２２９は、出力装置の一例である。プリンタ２２９は、一例として用紙に所定事項を印刷してレシートを発行する。キーボード２１３の右側には、カードスリット２１８が形成されている。カードスリット２１８は、ハウジング２１２に内蔵されたカードリーダ２２７（図６参照）によるカード情報の読み取りのために使用される。表示器２１５の背面側には、買物客に対する情報表示機能を有する表示部としての表示器２１６が表示器２１５よりも高い位置に配置されている。表示器２１６は、ハウジング２１２から突出した支柱に回転自在に取り付けられている。表示器２１６は、一例として、液晶ディスプレイである。さらに、ＰＯＳ端末２１１は、バーコードスキャナ２１９を有する。バーコードスキャナ２１９は、バーコードの形態で商品に付された商品コードを読み取る。
【００１１】
自動釣銭機２４１は、各部をその内部又は外部に配置するハウジング２４２を備える。
ハウジング２４２の前面右側には、紙幣の入金を許容する紙幣投入口２４６が設けられている。紙幣投入口２４６の左側には、紙幣が払い出される紙幣払出口２４７が設けられている。ハウジング２４２の前面側中央部分には、上方に開口した硬貨投入口２４３が設けられている。硬貨投入口２４３は、複数枚の硬貨のまとまった投入を許容する。硬貨投入口２４３の左側には、硬貨が払い出される硬貨払出口２４４と、硬貨払出口２４４から払い出された硬貨を受ける硬貨受皿２４５とが設けられている。また、ハウジング２４２の紙幣払出口２４７の左側には、カバー２５９が着脱可能に設けられている。カバー２５９には、施錠装置２５９ａが設けられている。施錠装置２５９ａは、カバー２５９の施錠および解錠を行う。ハウジング２４２におけるカバー２５９の内方には、紙幣を収納する回収カセット２６０（図４参照）を取り出し可能に収納する収納部（図示せず）が設けられている。
【００１２】
図３は、本実施形態にかかる自動釣銭機２４１を示す機能ブロック図である。自動釣銭機２４１は、硬貨（１円硬貨、５円硬貨、１０円硬貨、５０円硬貨、１００円硬貨、５００円硬貨）についての入出金機能を有する硬貨入出金部２４１ａと、紙幣（１０００円紙幣、５０００円紙幣、１００００円紙幣）についての入出金機能を有する紙幣入出金部２４１ｂとを有する。
【００１３】
まず、硬貨入出金部２４１ａについて説明する。硬貨入出金部２４１ａは、貨幣入金部としての硬貨入金部２５１、硬貨選別部２５２、貨幣収納部としての硬貨収納部２５３、及び貨幣出金部としての硬貨出金部２５４を含む。硬貨入金部２５１は、硬貨投入口２４３（図２参照）を含み、硬貨投入口２４３に投入された硬貨の入金を許容して硬貨を内部に搬送する。硬貨選別部２５２は、硬貨入金部２５１が入金を許容した硬貨をその搬送過程で金種に応じて選別する。硬貨収納部２５３は、硬貨選別部２５２が選別した硬貨を金種別に収納する。硬貨出金部２５４は、硬貨払出口２４４及び硬貨受皿２４５（図２参照）を含み、硬貨収納部２５３が収納している硬貨を、ＰＯＳ端末２１１からの払出指示に応じて硬貨払出口２４４から出金する。
【００１４】
また、硬貨入出金部２４１ａは、硬貨選別部２５２に金種毎に設けられて入金された硬貨を検出する入金検出手段としての硬貨入金センサ２６８ａ（図６参照）を有し、硬貨出金部２５４に金種毎に設けられて出金される硬貨を検出する出金検出手段としての硬貨出金センサ２６９ａ（図６参照）を有する。
【００１５】
次に、紙幣入出金部２４１ｂについて説明する。紙幣入出金部２４１ｂは、貨幣入金部としての紙幣入金部２５５、紙幣選別部２５６、貨幣収納部としての紙幣収納部２５７、及び、貨幣出金部としての紙幣出金部２５８を含む。紙幣入金部２５５は、紙幣投入口２４６（図２参照）を含み、紙幣投入口２４６に投入された紙幣の入金を許容して紙幣を内部に搬送する。紙幣選別部２５６は、紙幣入金部２５５が入金を許容した紙幣をその搬送過程で金種に応じて選別する。紙幣収納部２５７は、紙幣選別部２５６が選別した紙幣を金種別に収納する。紙幣出金部２５８は、紙幣払出口２４７（図２参照）を含み、紙幣収納部２５７が収納している紙幣を、ＰＯＳ端末２１１からの払出指示に応じて紙幣払出口２４７から出金する。また、紙幣出金部２５８は、一例として、紙幣収納部２５７が収納している紙幣を、ＰＯＳ端末２１１からの回収指示に応じて回収カセット２６０に出金する。
【００１６】
また、紙幣入出金部２４１ｂは、紙幣選別部２５６に設けられて入金された紙幣を検出する入金検出手段としての紙幣入金センサ２６８ｂ（図６参照）を有し、紙幣出金部２５８に設けられて出金される紙幣を検出する出金検出手段としての紙幣出金センサ２６９ｂ（図６参照）を有する。
【００１７】
このような自動釣銭機２４１の硬貨入金部２５１、硬貨選別部２５２、硬貨収納部２５３、硬貨出金部２５４、紙幣入金部２５５、紙幣選別部２５６、紙幣収納部２５７、及び紙幣出金部２５８の構造等については、その内容が周知なので、説明を省略する。
【００１８】
なお、以下、硬貨入金センサ２６８ａと紙幣入金センサ２６８ｂとを併せて入金センサ２６８と称することがある。また、硬貨出金センサ２６９ａと紙幣出金センサ２６９ｂとを併せて出金センサ２６９と称することがある。
【００１９】
図４は、本実施形態にかかる回収カセット２６０を示す外観斜視図である。図４に示すように、回収カセット２６０は、略直方体の箱状の本体部２６０ａを有している。本体部２６０ａの上面２６０ｂには、入金口２６０ｃが設けられている。紙幣は、入金口２６０ｃから本体部２６０ａの内部に入金される。本体部２６０ａには、紙幣を出金可能な出金口（図示せず）が設けられている。出金口は、カバー（図示せず）によって覆われており、当該カバーは施錠装置（図示せず）によって施錠されている。また、本体部２６０ａの前面２６０ｄには、ポケット２６０ｅが設けられている。
【００２０】
図５は、本実施形態にかかる回収カセット２６０の背面壁２６０ｆの一部を背面２６０ｇ側から見て示す斜視図である。図５に示すように、回収カセット２６０の背面壁２６０ｆの外面である背面２６０ｇには、係合部２６０ｉが設けられている。係合部２６０ｉは、複数の凹部（雌キー）２６０ｈを有している。係合部２６０ｉは、第２の係合部の一例である。係合部２６０ｉ（回収カセット２６０）には、当該係合部２６０ｉの形状違いによる複数の種類がある。係合部２６０ｉの形状違いの一例は、凹部２６０ｈの位置違いである。回収カセット２６０は、複数の会計装置２１０同士で異なる種類のものが設定されている。別の言い方をすると、回収カセット２６０は、複数のＰＯＳ端末２１１同士で異なる種類のものが設定されている。回収カセット２６０は、複数の自動釣銭機２４１同士で異なる種類のものが設定されている。また、一つの会計装置２１０（ＰＯＳ端末２１１、自動釣銭機２４１）に対しては、同一種類の複数の回収カセット２６０が設けられている。一例として、それらの複数の回収カセット２６０のうちの一つが自動釣銭機２４１にセットされ、他の回収カセット２６０は、交換用として店舗２０１のバックヤードにおいて金庫装置３０１の近傍に置かれている（図１参照）。回収カセット２６０は、貨幣を収納する貨幣収納具の一例である。
【００２１】
図６は、本実施形態にかかる会計装置２１０のハードウェア構成を示すブロック図である。
【００２２】
図６に示すように、ＰＯＳ端末２１１は、各部を駆動制御する制御部２２１を備える。制御部２２１は、各部を集中的に制御するＣＰＵ２２２に、バスライン２３５を介して、制御プログラム等の固定的データを予め記憶するＲＯＭ２２３と、各種データを書き換え自在に記憶してワークエリア等として機能するＲＡＭ２２４とが接続されて構成されている。したがって、制御部２２１は、情報処理を実行する情報処理部を構成する。ＲＡＭ２２４は、その一部が、ＰＯＳ端末２１１の電源を切っても記憶内容が消失しない不揮発性メモリである。
【００２３】
制御部２２１には、キーボード２１３及びタッチパネル２１４が接続された入力コントローラ２２５、表示器２１５，２１６が接続された表示コントローラ２２６、カードリーダ２２７が接続されたカードリーダコントローラ２２８、プリンタ２２９が接続されたプリンタコントローラ２３０、バーコードスキャナ２１９が接続されたスキャナコントローラ２３３、ＬＡＮインターフェース２３１、接続インターフェース２３４、及び、ＨＤＤ２３２がバスライン２３５を介して接続されている。
【００２４】
入力コントローラ２２５は、キーボード２１３又はタッチパネル２１４からの入力信号を制御部２２１に取り込む。表示コントローラ２２６は、画像データに基づいて表示器２１５又は表示器２１６を駆動制御し、画像データに応じた画像を表示器２１５又は表示器２１６に表示させる。カードリーダコントローラ２２８は、カードリーダ２２７を駆動制御して、カードリーダ２２７が読み取ったカード情報等を制御部２２１に取り込む。プリンタコントローラ２３０は、印字データに応じた印刷を用紙に対して行う。スキャナコントローラ２３３は、バーコードスキャナ２１９を駆動制御して、バーコードスキャナ２１９が読み取った商品コードを制御部２２１に取り込む。ＬＡＮインターフェース２３１は、ＬＡＮケーブル２９１（図１参照）を介して店舗コンピュータ２８１とのデータ通信を可能とする。接続インターフェース２３４は、通信ケーブル２３４ａを介して自動釣銭機２４１の接続インターフェース２７３と接続されている。つまり、通信ケーブル２３４ａを介して自動釣銭機２４１とのデータ通信を可能とする。ＨＤＤ２３２には動作プログラム、ＰＬＵファイル、画像ファイル、音声ファイル、売上ファイル等の各種ファイルが記憶保存されている。これらの動作プログラム、各種ファイル等は、その全部又は一部がＰＯＳ端末２１１の起動時にＲＡＭ２２４に移されて使用される。ＰＬＵファイルは、各商品を特定する商品コードに対応させて、単価等を書き換え自在に記憶する。ＰＬＵファイルは、店舗コンピュータ２８１（図１参照）から配信されてＨＤＤ２３２に格納される。
【００２５】
このように構成されたＰＯＳ端末２１１の制御部２２１は、検索処理と決済処理とを含む商品販売データ処理を実行する。
【００２６】
検索処理は、商品に付されたバーコードがバーコードスキャナ２１９を用いて読み取られた場合、読み取られたバーコードにより特定される商品コードを認識し、ＰＬＵファイルを検索してその商品コードに対応する単価、重量及び商品表示を取得する処理である。
【００２７】
決済処理は、検索処理で取得した単価に基づいて顧客が支払うべき合計金額を算出し、その合計金額の決済を実行する処理である。合計金額は、ＲＡＭ２２４に仮登録されるか、あるいは売上ファイルに登録される。決済処理では、キーボード２１３のテンキーの押下により顧客からの預り金額を受け付け、合計金額と預り金額とに基づいて釣銭金額を求める。
【００２８】
次に、ＰＯＳ端末２１１とデータ通信可能に接続された自動釣銭機２４１のハードウェア構成について説明する。
【００２９】
図６に示すように、自動釣銭機２４１は、各部を駆動制御する制御部２６１を備える。制御部２６１は、各部を集中的に制御するＣＰＵ２６２に、バスライン２７４を介して、制御プログラム等の固定的データを予め記憶するＲＯＭ２６３と、各種データを書き換え自在に記憶してワークエリア等として機能するＲＡＭ２６４とが接続されて構成されている。したがって、制御部２６１は、情報処理を実行する情報処理部を構成する。ＲＡＭ２６４は、その一部が、自動釣銭機２４１の電源を切っても記憶内容が消失しない不揮発性メモリである。ＲＡＭ２６４には、硬貨収納部２５３（図３参照）及び紙幣収納部２５７（図３参照）に収納されている貨幣の在高を記憶する在高ファイルが形成されている。
【００３０】
制御部２６１には、モータ類２６５が接続されたモータコントローラ２６６、ソレノイド類２７１が接続されたソレノイドコントローラ２７２、入金センサ２６８と出金センサ２６９とを含むセンサ類２６７が接続されたセンサコントローラ２７０、及び、接続インターフェース２７３がバスライン２７４を介して接続されている。
【００３１】
モータコントローラ２６６は、モータ類２６５を駆動制御してモータ類２６５を回転させる。モータ類２６５は、自動釣銭機２４１の内部に設けられた搬送ベルト（図示せず）を回転させる駆動源である。搬送ベルトは、硬貨入金部２５１、硬貨出金部２５４、紙幣入金部２５５、紙幣出金部２５８等に設けられて、その回転により自動釣銭機２４１に対する貨幣の入出金等を行う。ソレノイドコントローラ２７２は、ソレノイド類２７１を駆動制御してソレノイド類２７１を変位させる。ソレノイド類２７１は、硬貨出金部２５４に設けられて、指示された枚数の硬貨の払い出しを行う。センサコントローラ２７０は、センサ類２６７の検出出力を制御部２６１に取り込む。接続インターフェース２７３は、通信ケーブル２３４ａを介してＰＯＳ端末２１１の接続インターフェース２３４と接続されている。つまり、通信ケーブル２３４ａを介してＰＯＳ端末２１１とのデータ通信を可能とする。
【００３２】
このように構成された自動釣銭機２４１の制御部２６１は、入金センサ２６８の検出出力に基づいて入金貨幣の金種を特定する。また、自動釣銭機２４１の制御部２６１は、出金センサ２６９の検出出力に基づいて出金貨幣の金種を特定する。金種を特定する処理手順等については、その内容が周知なので、説明を省略する。
【００３３】
図７は、本実施形態にかかる金庫装置３０１を示す外観斜視図である。図７に示すように、金庫装置３０１は、本体部３０２と、扉３０３と、施錠装置３２０（図１２参照）と、を有している。
【００３４】
本体部３０２は、概略直方体状の箱状をなしている。本体部３０２の前面３０２ａには、開口部３０２ｂが設けられている。本体部３０２の内部には、収納部３１０（図８参照）が設けられている。
【００３５】
扉３０３は、本体部３０２の前面３０２ａにヒンジ３０４によって開閉可能に取り付けられている。扉３０３は、収納部３１０を開閉する。扉３０３には、開閉レバー３０５が取り付けられている。使用者は、開閉レバー３０５を把持して扉３０３の開閉を行う。扉３０３は、施錠装置３２０によって施錠および解錠が行われる。施錠装置３２０は、一例として、扉３０３に設けられたロックピンと、ロックピンを往復動駆動するソレノイド（駆動源）と、本体部３０２に設けられロックピンが係脱可能な係合凹部と、を有している。施錠装置３２０は、ソレノイドに駆動されたロックピンが係合凹部に係合することで、扉３０３の施錠を行い、ソレノイドに駆動されたロックピンが係合凹部から離脱することで、扉３０３の解錠を行う。
【００３６】
また、本体部３０２の前面３０２ａには、キー部３０６、表示器３０７、およびバーコードスキャナ３０８が設けられている。キー部３０６、表示器３０７、およびバーコードスキャナ３０８は、入力部３０９を構成している。入力部３０９は、暗証情報としての暗証番号を入力する入力手段の一例である。キー部３０６は、テンキー、エンタキーなどを有している。表示器３０７は、一例として、液晶ディスプレイである。バーコードスキャナ３０８は、一例として、バーコードの形態で示された暗証番号を読み取る。詳細には、後述する暗証情報票３９１に表示されたバーコード３９１ｂを読み取る。暗証番号は、暗証情報の一例である。暗証情報は、数字以外の文字であってもよいし、数字と数字以外の文字との組み合わせであってもよい。
【００３７】
図８は、本実施形態にかかる金庫装置３０１の収納部３１０を示す斜視図、図９は、本実施形態にかかる金庫装置３０１の収納部３１０を示す縦断側面図である。図８，９に示すように、収納部３１０は、前面開口の概略直方体状の箱状をなしている。収納部３１０は、回収袋２９０（図８）および回収カセット２６０（図８）を収納する。収納部３１０は、上壁３１０ａ、下壁３１０ｂ、一対の側壁３１０ｃ、および後壁３１０ｄを有している。収納部３１０の内部は、仕切り壁３１０ｅによって、硬貨収納部３１０ｆと紙幣収納部３１０ｇとに区画されている。仕切り壁３１０ｅは、第１の部分３１０ｈと、第２の部分３１０ｉ（図９）とを有している。第１の部分３１０ｈは、上壁３１０ａに沿って設けられ、第２の部分３１０ｉは、第１の部分３１０ｈの後端部から、後壁３１０ｄに沿って下方に延出して下壁３１０ｂに至る。
【００３８】
硬貨収納部３１０ｆは、回収袋２９０（図８）を収納する。硬貨収納部３１０ｆの前面には、開口部３１０ｎが設けられており、硬貨収納部３１０ｆは、開口部３１０ｎから回収袋２９０の出し入れが可能となっている。回収袋２９０は、一例として、自動釣銭機２４１が回収指令によって出金した硬貨を、収納する。回収袋２９０は、貨幣を収納する貨幣収納具の一例である。
【００３９】
紙幣収納部３１０ｇは、回収カセット２６０を収納する。紙幣収納部３１０ｇは、縦仕切り壁３１０ｊと横仕切り壁３１０ｋとによって複数の個別収納部３１０ｌに区画されている。個別収納部３１０ｌは、一例として、２行２列の配置で設けられている。一例として、複数の個別収納部３１０ｌのうち上段の二つの個別収納部３１０ｌは、第１の会計装置２１０Ａ用であり、複数の個別収納部３１０ｌのうち下段の二つの個別収納部３１０ｌは、第２の会計装置２１０Ｂ用である。個別収納部３１０ｌは、回収カセット２６０を収納する。個別収納部３１０ｌの前面には、開口部３１０ｍが設けられており、個別収納部３１０ｌは、開口部３１０ｍから回収カセット２６０の出し入れが可能となっている。
【００４０】
図１０は、第１の実施形態にかかる個別収納部３１０ｌの後壁の一部を正面側から見て示す斜視図である。図１０に示すように、個別収納部３１０ｌの後壁の内面３１０ｐには係合部３１０ｒが設けられている。係合部３１０ｒは、複数の凸部（雄キー）３１０ｑを有している。係合部３１０ｒは、第１の係合部の一例である。係合部３１０ｒ（個別収納部３１０ｌ）には、複数の種類がある。係合部３１０ｒの種類の違いは、凸部３１０ｑの位置の違いである。上段の二つの個別収納部３１０ｌに設けられた係合部３１０ｒは、第１の会計装置２１０Ａの回収カセット２６０の係合部２６０ｉと係合し、第２の会計装置２１０Ｂの回収カセット２６０の係合部２６０ｉとは係合しない。一方、下段の二つの個別収納部３１０ｌに設けられた係合部３１０ｒは、第２の会計装置２１０Ｂの回収カセット２６０の係合部２６０ｉと係合し、第１の会計装置２１０Ａの回収カセット２６０の係合部２６０ｉとは係合しない。個別収納部３１０ｌでは、係合部３１０ｒが回収カセット２６０に設けられた係合部２６０ｉと係合した場合、個別収納部３１０ｌ内部に回収カセット２６０の全体が収まり、後述する規制バー３３０ａが規制位置に位置可能であって、規制部３３０による規制が可能である。一方、係合部３１０ｒが回収カセット２６０に設けられた係合部２６０ｉと係合していない場合、個別収納部３１０ｌの開口部３１０ｍから回収カセット２６０の一部が突出した状態となる。この場合、規制バー３３０ａが規制位置に位置できず、規制部３３０は、規制を行えない。
【００４１】
また、図８に示すように、個別収納部３１０ｌには、規制部３３０が設けられている。規制部３３０は、個別収納部３１０ｌ毎に設けられている。規制部３３０は、個別収納部３１０ｌに収納された回収カセット２６０の当該個別収納部３１０ｌからの搬出を規制する。規制部３３０は、規制バー３３０ａと、施錠装置３３０ｂと、を有している。
【００４２】
規制バー３３０ａは、個別収納部３１０ｌの前面を構成する収納部３１０の前面３１０ｓに回動可能に設けられている。規制バー３３０ａは、規制位置（図８の左側の二つの規制バー３３０ａの位置）と、開放位置（図８の右側の二つの規制バー３３０ａの位置）との間で回動可能となっている。規制位置は、規制バー３３０ａが、収納部３１０の開口部３１０ｍを横断して個別収納部３１０ｌへの回収カセット２６０の出し入れを規制する位置である。開放位置は、規制バー３３０ａが、開口部３１０ｍを開放して個別収納部３１０ｌへの回収カセット２６０の出し入れを許容する位置である。施錠装置３３０ｂは、規制バー３３０ａの施錠および解錠を行う。施錠装置３３０ｂは、規制位置に位置した規制バー３３０ａを施錠する。施錠装置３３０ｂは、規制位置に位置した規制バー３３０ａを施錠する。施錠装置３３０ｂは、規制バー３３０ａに対して押し込み可能な操作部３３０ｃを有している。施錠装置３３０ｂは、規制バー３３０ａが規制位置に位置された状態で操作部３３０ｃが操作者に押し込み操作されることにより、規制バー３３０ａを施錠する。また、図１１に示すように、操作部３３０ｃには、鍵孔３３０ｄが設けられている。施錠装置３３０ｂは、鍵孔３３０ｄに挿入された鍵（図示せず）の回動によって、規制バー３３０ａを解錠する。このように、規制部３３０は、鍵によって規制バー３３０ａによる上記の規制を解除可能であり、且つ手動操作を受けて規制バー３３０ａによる上記の規制を行う。このような施錠装置３３０ｂは、所謂プッシュ式の施錠装置であり、その構成は周知であるので、詳細な説明は省略する。
【００４３】
図１２は、本実施形態にかかる金庫装置３０１のハードウェア構成を示すブロック図である。
【００４４】
図１２に示すように、金庫装置３０１は、各部を駆動制御する制御部３４１を備える。制御部３４１は、各部を集中的に制御するＣＰＵ３４２に、バスライン３４５を介して、制御プログラム等の固定的データを予め記憶するＲＯＭ３４３と、各種データを書き換え自在に記憶してワークエリア等として機能するＲＡＭ３４４とが接続されて構成されている。したがって、制御部３４１は、情報処理を実行する情報処理部を構成する。ＲＡＭ３４４は、その一部が、金庫装置３０１の電源を切っても記憶内容が消失しない不揮発性メモリである。
【００４５】
制御部３４１には、キー部３０６が接続された入力コントローラ３４６、表示器３０７が接続された表示コントローラ３４７、施錠装置３２０が接続された錠コントローラ３４８、バーコードスキャナ３０８が接続されたスキャナコントローラ３４９、センサコントローラ３５１、及びＬＡＮインターフェース３５０がバスライン３４５を介して接続されている。
【００４６】
入力コントローラ３４６は、キー部３０６からの入力信号を制御部３４１に取り込む。表示コントローラ３４６は、画像データに基づいて表示器３０７を駆動制御し、画像データに応じた画像を表示器３０７に表示させる。錠コントローラ３４８は、施錠装置３２０を駆動制御して、施錠装置３２０に施錠および解錠を行わせる。スキャナコントローラ３４９は、バーコードスキャナ３０８を駆動制御して、バーコードスキャナ３０８が読み取ったバーコードを制御部３４１に取り込む。ＬＡＮインターフェース３５０は、ＬＡＮケーブル２９１（図１参照）を介して店舗コンピュータ２８１およびＰＯＳ端末２１１とのデータ通信を可能とする。
【００４７】
また、ＣＰＵ３４２には、バスライン３４５およびセンサコントローラ３５１を介して、センサ類３５２が接続されている。センサ類３５２には、複数の検出センサ３５３〜３５６が含まれる。センサコントローラ３５１は、センサ類３５２の検出出力（検出結果）を制御部３４１に取り込む。
【００４８】
検出センサ３５３は、扉３０３の状態を検出する。検出センサ３５３は、検出手段（第１の検出手段）の一例である。検出センサ３５３は、扉３０３の状態として、扉３０３の施錠および解錠を検出する。検出センサ３５３は、一例として、施錠装置３２０の係合凹部に設けられ、係合凹部内でのロックピンの有無を検出する。検出センサ３５３は、例えば、光センサやマイクロスイッチ等である。
【００４９】
検出センサ３５４は、扉３０３の状態として、扉３０３の開閉状態を検出する。検出センサ３５４は、一例として、本体部３０２における開口部３０２ｂの縁部に設けられ、開口部３０２ｂ内での扉３０３の有無を検出する。検出センサ３５４は、例えば、光センサやマイクロスイッチ等である。
【００５０】
検出センサ３５５は、規制部３３０の上記の規制を検出する。検出センサ３５５は、第２の検出手段の一例である。検出センサ３５５は、例えば、個別収納部３１０ｌの壁面に設けられ、規制バー３３０ａが規制位置に位置しているか否かを検出する。これにより、検出センサ３５５は、規制バー３３０ａが上記の規制をしているか否かを検出する。
【００５１】
検出センサ３５６は、各個別収納部３１０ｌに設けられている。検出センサ３５６は、個別収納部３１０ｌに回収カセット２６０が収納されたか否かを検出する。検出センサ３５６は、一例として、個別収納部３１０ｌの後壁（第２の部分３１０ｉ）の内面３１０ｐに設けられ、係合部３１０ｒに回収カセット２６０の係合部２６０ｉが係合した状態の回収カセット２６０を検出する。一例として、検出センサ３５６（またはセンサコントローラ３５１）は、検出センサ３５６の結果に当該検出センサ３５６の識別情報を付与して制御部３４１に入力する。
【００５２】
次に、上記構成の金庫システム２０９における貨幣回収処理について説明する。貨幣回収処理は、ＰＯＳ端末２１１の回収キーが操作されることで実行される。回収キーが操作されると、ＣＰＵ２２２は、暗証番号の入力を受け付ける入力画面を表示器２１５に表示させ、入力された暗証番号が適正なものである場合、貨幣回収処理を行う。この暗証番号は、一例として、管理者権限を有する店員の店員番号である。ＣＰＵ２２２は、入力された暗証番号（店員番号）をログに残す。また、自動釣銭機２４１は、回収カセット２６０のカバー２５９の施錠装置２５９ａの解錠が行われたことをログに残す。
【００５３】
貨幣回収処理では、ＰＯＳ端末２１１のＣＰＵ２２２は、暗証情報出力処理を実行する。この際、ＰＯＳ端末２１１のＣＰＵ２２２は、プログラムに従うことにより、図６に示すように、生成部２２２ａ、出力部２２２ｂ（第１の出力部）、および送信部２２２ｃとして機能する。
【００５４】
生成部２２２ａは、暗証情報としての暗証番号を生成する。生成部２２２ａは、暗証番号をランダムに生成する。生成部２２２ａは、暗証番号を暗号化する。生成部２２２ａは、暗証番号を、回収カセット２６０を特定する特定情報と関連付ける。特定情報は、例えば、回収カセット２６０に対応した会計装置２１０の識別情報（識別番号）、ＰＯＳ端末２１１の識別情報（識別番号）または自動釣銭機２４１の識別情報（識別番号）である。生成部２２２ａは、暗証番号と、回収カセット２６０を特定する特定情報とを含む回収情報を生成することで、暗証番号を、回収カセット２６０を特定する特定情報と関連付ける。
【００５５】
出力部２２２ｂは、生成部２２２ａが生成した暗証番号をプリンタ２２９に出力させる。詳細には、出力部２２２ｂは、生成部２２２ａが生成した暗証番号を表示した暗証情報票３９１（図１３参照）をプリンタ２２９に出力させる。プリンタ２２９は、用紙に所定事項を印字して、当該所定事項を印字した領域を切断して暗証情報票３９１として発行する。図１３に示すように、暗証情報票３９１は、暗証番号３９１ａと、当該暗証番号３９１ａのバーコード３９１ｂとを表示している。バーコード３９１ｂは、暗証番号３９１ａをコードシンボル化したものである。
【００５６】
また、出力部２２２ｂは、回収票３９２（図１参照）をプリンタ２２９に出力させる。回収票３９２は、回収カセット２６０内に収納された紙幣の枚数および合計金額を表示している。出力部２２２ｂは、回収カセット２６０内に収納された紙幣の枚数および合計金額を、自動釣銭機２４１に問い合わせて取得する。
【００５７】
送信部２２２ｃは、生成部２２２ａが生成し暗号化した暗証番号を、金庫装置３０１に送信する。詳細には、送信部２２２ｃは、回収情報を金庫装置３０１に送信する。
【００５８】
また、貨幣回収処理では、金庫装置３０１のＣＰＵ３４２は、回収処理を実行する。この際、金庫装置３０１のＣＰＵ３４２は、プログラムに従うことにより、図１２に示すように、受信部３４２ａ、錠制御部３４２ｂ、出力部３４２ｃ（第２の出力部）、および識別部３４２ｄとして機能する。
【００５９】
受信部３４２ａは、送信部２２２ｃが送信した暗証情報を、受信する。受信部３４２ａは、暗号化された暗証番号を復号化する。
【００６０】
錠制御部３４２ｂは、受信部３４２ａが受信した暗証情報（即ち、生成部２２２ａが生成した暗証情報）と入力部３０９が入力した暗証情報とが一致した場合、施錠装置３２０に扉３０３の解錠を行わせる。
【００６１】
出力部３４２ｃは、検出センサ３５３の検出結果（扉３０３の施解錠状態）を金庫装置３０１の外部の装置としての店舗コンピュータ２８１に送信する。このとき、出力部３４２ｃは、検出センサ３５３の検出結果を含むステータス情報を店舗コンピュータ２８１に送信する。出力部３４２ｃは、扉３０３の施解錠状態が変化した場合、扉３０３の施解錠状態を示す情報を店舗コンピュータ２８１に送信する。出力部３４２ｃは、出力手段の一例である。
【００６２】
識別部３４２ｄは、個別収納部３１０ｌに収納された回収カセット２６０を識別する。一例として、ＲＯＭ３４３には、個別収納部３１０ｌ毎に、個別収納部３１０ｌに設けられた検出センサ３５６の識別情報と、個別収納部３１０ｌに収納可能な回収カセット２６０の識別情報とを関連付けした収納部情報が記憶されている。識別部３４２ｄは、回収カセット２６０を検出した検出センサ３５６の検出結果に付与された検出センサ３５６の識別情報と収納部情報とを照らし合わせて、個別収納部３１０ｌに収納された回収カセット２６０の識別情報を取得する。識別部３４２ｄは、識別手段の一例である。
【００６３】
次に、ＰＯＳ端末２１１のＣＰＵ２２２が実行する暗証情報出力処理の流れを図１４に示すフローチャートに沿って説明する。
【００６４】
ＣＰＵ２２２は、キーボード２１３の回収キーが例えば使用者によって操作されると、暗証番号を生成する（ステップＳ１）。この際、ＣＰＵ２２２は、自動釣銭機２４１に回収指示を出力する。回収指示が入力された自動釣銭機２４１は、各金種毎に設定された規定枚数分の硬貨および紙幣が硬貨収納部２５３および紙幣収納部２５７に残るように、硬貨を硬貨受皿２４５に出金するとともに、紙幣を回収カセット２６０に出金する。自動釣銭機２４１は、出金した貨幣の金種と枚数と合計金額とを含む出金情報をＰＯＳ端末２１１へ送信する。ＣＰＵ２２２は、出金情報を受信する。
【００６５】
次に、ＣＰＵ２２２は、生成した暗証番号を金庫装置３０１へ送信する（ステップＳ２）。詳細には、ＣＰＵ２２２は、暗証番号と当該ＣＰＵ２２２を有するＰＯＳ端末２１１に設けられた回収カセット２６０の特定情報を含む回収情報を金庫装置３０１へ送信する。
【００６６】
次に、ＣＰＵ２２２は、生成した暗証番号をプリンタ２２９に出力させる（ステップＳ３）。詳細には、ＣＰＵ２２２は、生成した暗証番号を表示した暗証情報票３９１をプリンタ２２９に発行させる。次に、ＣＰＵ２２２は、回収票３９２をプリンタ２２９に発行させる（ステップＳ４）。使用者は、この暗証情報票３９１および回収票３９２を、自動釣銭機２４１から取り出した回収カセット２６０のポケット２６０ｅに収納する。
【００６７】
次に、金庫装置３０１のＣＰＵ３４２が実行する回収処理の流れを図１５に示すフローチャートに沿って説明する。
【００６８】
ＣＰＵ３４２は、ＰＯＳ端末２１１から送信される暗証番号を含む回収情報の受信を待つ（ステップＳ１１のＮｏ）。ＣＰＵ３４２は、暗証番号を含む回収情報を受信した場合（ステップＳ１１のＹｅｓ）、当該暗証番号を含む回収情報をＲＡＭ３４４に記憶させる（ステップＳ１２）。
【００６９】
次に、ＣＰＵ３４２は、ステータス情報を店舗コンピュータ２８１に送信する（ステップＳ１３）。この場合、一例として、扉３０３が施錠されているので、ステータス情報は、扉３０３が施錠状態である旨を示す情報である。ＣＰＵ３４２は、暗証番号を受信してから規定時間の間（ステップＳ１４のＮｏ）、入力部３０９による暗証番号の入力が無い場合（ステップＳ１５のＮｏ）、ステータス情報を定期的に店舗コンピュータ２８１に送信する（ステップＳ１３）。ＣＰＵ３４２は、暗証番号を受信してから規定時間が経過した場合（ステップＳ１４のＹｅｓ）、受信した暗証番号をＲＡＭ３４４から削除して当該暗証番号を無効にする（ステップＳ２３）。つまり、本実施形態では、暗証番号は、規定時間の間だけ有効となっている。
【００７０】
ＣＰＵ３４２は、暗証番号を受信してから規定時間が経過していないときに（ステップＳ１４のＮｏ）、入力部３０９による暗証番号の入力があった場合（ステップＳ１５のＹｅｓ）、当該入力された暗証番号とステップＳ１１で受信した暗証番号が一致しているか否かを判定する（ステップＳ１６）。入力部３０９による暗証番号の入力は、キー入力であってもよいし、バーコード読み取りによるものであってもよい。ＣＰＵ３４２は、入力された暗証番号と受信した暗証番号とが一致していると判定した場合（ステップＳ１６のＹｅｓ）、施錠装置３２０に扉３０３の解錠を行わせる（ステップＳ１７）。検出センサ３５３から解錠を検出した旨の検出結果が入力されると、ＣＰＵ３４２は、扉３０３が解錠状態である旨を示すステータス情報を店舗コンピュータ２８１に送信する（ステップＳ１８）。そして、ＣＰＵ３４２は、扉３０３が施錠されるのを待つ（ステップＳ１９のＮｏ）。
【００７１】
ここで、扉３０３が解錠されることで、使用者が、扉３０３を開けて、金庫装置３０１内に回収カセット２６０や回収袋２９０を収納することができる。使用者は、自動釣銭機２４１から取り出した回収カセット２６０を所定の個別収納部３１０ｌに入れて、回収袋２９０を硬貨収納部３１０ｆに入れた後、扉３０３を閉める。この際、使用者は、回収袋２９０に、自動釣銭機２４１から出金された硬貨を入れておく。この際、回収カセット２６０を収納した個別収納部３１０ｌに設けられた検出センサ３５６が回収カセット２６０を検出して、検出結果をＣＰＵ３４２に入力し、検出センサ３５４が、扉３０３の閉状態を検出して、検出結果をＣＰＵ３４２に入力する。
【００７２】
ＣＰＵ３４２は、検出センサ３５４から扉３０３の閉状態を検出した旨の検出結果が入力されると、施錠装置３２０に扉３０３の施錠を行わせる。ＣＰＵ３４２は、検出センサ３５３から施錠を検出した旨の検出結果が入力されて施錠を認識した場合（ステップＳ１９のＹｅｓ）、扉３０３が施錠状態である旨を示すステータス情報を店舗コンピュータ２８１に送信する（ステップＳ２０）。当該ステータス情報には、一例として、正常な処理が完了した旨、回収カセット２６０の特定情報、施錠日時情報が含まれる。
【００７３】
ここで、当該ステータス情報を受信した店舗コンピュータ２８１は、上位コンピュータ４１１に、当該ステータス情報、操作した店員番号（担当者）、回収カセット２６０内の金種別枚数データを含む回収報告情報を送信する。なお、上位コンピュータ４１１は、回収報告情報を、ログインを許可されたユーザに対して開示可能となっている。このときの開示内容には、ユーザ毎に制限を設けてもよい。上位コンピュータ４１１は、ステータス情報から得た金庫装置３０１内の回収カセット２６０の収納状況を警備会社コンピュータ５１１に送信する。これにより、警備会社５０１が金庫装置３０１内の状況を認識することができる。
【００７４】
ＣＰＵ３４２は、ステップＳ１６において、暗証番号が一致しないと判定した場合（ステップＳ１６のＮｏ）、暗証番号を受信してからステップＳ１５での暗証番号の入力回数が規定回数（例えば、３回）に達したか否かを判定する（ステップＳ２１）。なお、ＣＰＵ３４２は、ステップＳ１５での暗証番号の入力回数をＲＡＭ３４４に記憶する。ＣＰＵ３４２は、暗証番号の入力回数が規定回数を超えていない場合（ステップＳ２１のＮｏ）、ステップＳ１５に戻る。一方、ＣＰＵ３４２は、暗証番号の入力回数が規定回数を超えた場合（ステップＳ２１のＹｅｓ）、ステップＳ２２に進んで、エラー処理を行う。エラー処理は、一例として、暗証番号の入力を受け付けない旨を表示器３０７に表示させるとともに、受信した暗証番号をＲＡＭ３４４から削除して当該暗証番号を無効にする処理である。
【００７５】
以上説明したように、本実施形態では、一例として、出力部３４２ｃが扉３０３の状態（施解錠状態）を出力するので、店舗２０１や統括部４０１、警備会社５０１が扉３０３の状態を把握することができる。
【００７６】
なお、本実施形態では、暗証番号を生成する情報処理装置として、ＰＯＳ端末２１１の例を説明したが、これに限るものではない。暗証番号を生成する情報処理装置としては、自動釣銭機２４１であってもよい。この場合、一例として、自動釣銭機２４１は、ＰＯＳ端末２１１等の外部装置からの要求に応じて暗証番号を生成し、外部装置に送信してよい。この際、予め登録された外部装置毎に異なる暗号化キーにより暗証番号を暗号化し、要求元の外部装置でなければ復号化できない構成としてよい。
【００７７】
（第２の実施形態）
次に、第２の実施形態について第１の実施形態と異なる部分を主に説明する。
【００７８】
図１６は、本実施形態にかかる会計装置２１０のハードウェア構成を示すブロック図である。図１６に示すように、本実施形態の自動釣銭機２４１のＣＰＵ２６２には、バスライン２７４および無線コントローラ２７５を介して無線通信装置２７６が接続されている。無線通信装置２７６は、出力装置の一例である。無線通信装置２７６は、紙幣入出金部２４１ｂに内蔵されている。また、本実施形態の回収カセット２６０には、情報記憶媒体（無線記憶媒体）である無線タグ２６０ｊが設けられている。無線タグ２６０ｊは、ＩＣチップ、記憶部、アンテナを有する。無線通信装置２７６は、紙幣入出金部２４１ｂにセットされた回収カセット２６０の無線タグ２６０ｊと近距離の無線通信を行う。この無線通信は、ＲＦＩＤ（Radio  Frequency  Identification）で用いられる周波数を利用して行われる。
【００７９】
図１７は、本実施形態にかかる金庫装置３０１のハードウェア構成を示すブロック図である。本実施形態の金庫装置３０１のＣＰＵ３４２には、バスライン３４５および無線コントローラ３６０を介して無線通信装置３６１が接続されている。無線通信装置３６１は、入力手段の一例である。無線通信装置３６１は、例えば、本体部３０２の前面３０２ａ（図７参照）に設けられており、金庫装置３０１の正面に位置された回収カセット２６０の無線タグ２６０ｊと近距離の無線通信を行う。この無線通信は、ＲＦＩＤで用いられる周波数を利用して行われる。無線通信装置３６１は、無線タグ２６０ｊに記憶された暗証番号および回収カセット２６０の特定情報を読み出して、ＣＰＵ３４２に入力する。
【００８０】
次に、上記構成の金庫システム２０９における貨幣回収処理（暗証情報出力処理、回収処理）について説明する。
【００８１】
本実施形態のＰＯＳ端末２１１のＣＰＵ２２２は、暗証情報出力処理のステップＳ２（図１４参照）において、暗証番号とともに回収カセット２６０の特定情報を金庫装置３０１に送信する。また、ステップＳ３（図１４参照）において、ＣＰＵ２２２は、暗証番号を回収カセット２６０の特定情報とともに無線タグ２６０ｊに出力する。詳細には、ＣＰＵ２２２は、無線通信装置２７６に、暗証番号と回収カセット２６０の特定情報とを無線タグ２６０ｊへ書き込みさせる。
【００８２】
一方、本実施形態の金庫装置３０１のＣＰＵ３４２は、回収処理のステップＳ１１（図１５参照）で、暗証番号とともに回収カセット２６０の特定情報をＰＯＳ端末２１１から受信し、ステップＳ１２で、暗証番号とともに回収カセット２６０の特定情報をＲＡＭ３４４に記憶させる。ステップＳ１５では、暗証番号と回収カセット２６０の特定情報の入力が無線通信装置３６１から入力される。
【００８３】
そして、ステップＳ１６では、ＣＰＵ３４２は、ＰＯＳ端末２１１から受信した暗証番号と、無線通信装置３６１から入力された暗証番号とが一致し、且つＰＯＳ端末２１１から受信した回収カセット２６０の特定情報と無線通信装置３６１から入力された回収カセット２６０の特定情報とが一致している場合、施錠装置３２０に扉３０３の解錠を行わせる。即ち、本実施形態のＣＰＵ３４２は、生成部２２２ａが生成した暗証情報と無線通信装置３６１が入力した暗証情報とが一致し、且つ、無線通信装置３６１が入力した回収カセット２６０の特定情報が受信部３４２ａが受信した暗証情報に関連付けされた特定情報と一致している場合、施錠装置３２０に解錠を行わせる。
【００８４】
以上説明した本実施形態でも、第１の実施形態と同様に、一例として、出力部３４２ｃが扉３０３の状態（施解錠状態）を出力するので、店舗２０１や統括部４０１、警備会社５０１が扉３０３の状態を把握することができる。
【００８５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８６】
２１１…ＰＯＳ端末、２２２ａ…生成部、２２２ｂ…出力部、２２２ｃ…送信部、２２９…プリンタ、２４１…自動釣銭機、２６０…回収カセット、２６０ｉ…係合部、２６０ｊ…無線タグ、２７６…無線通信装置、３０１…金庫装置、３０３…扉、３０９…入力部、３１０…収納部、３１０ｌ…個別収納部、３１０ｒ…係合部、３２０…施錠装置、３３０…規制部、３４２ａ…受信部、３４２ｂ…錠制御部、３４２ｃ…出力部、３４２ｄ…識別部、３５３〜３５６…検出センサ、３６１…無線通信装置。
【先行技術文献】
【特許文献】
【００８７】
【特許文献１】特開２００７−３０９０６１号公報
【図１】
0005620422.tif 000002
【図２】
0005620422.tif 000003
【図３】
0005620422.tif 000004
【図４】
0005620422.tif 000005
【図５】
0005620422.tif 000006
【図６】
0005620422.tif 000007
【図７】
0005620422.tif 000008
【図８】
0005620422.tif 000009
【図９】
0005620422.tif 000010
【図１０】
0005620422.tif 000011
【図１１】
0005620422.tif 000012
【図１２】
0005620422.tif 000013
【図１３】
0005620422.tif 000014
【図１４】
0005620422.tif 000015
【図１５】
0005620422.tif 000016
【図１６】
0005620422.tif 000017
【図１７】
0005620422.tif 000018